(57)【要約】【課題】プリント注文を行うための注文票（スタッファ）をカスタマイズすることで、プリントサービスの向上を図ることである。【解決手段】注文票発行装置１は、ポストカードに使用する装飾デザイン毎に、装飾デザインが適用される注文客の属性（年代、性別）、ポストカードの種類（大カテゴリ）、ポストカードの利用目的（サブカテゴリ）等を設定し、設定内容に見合った装飾デザインが掲載されたスタッファを発行する。【選択図】　　　　　　図３
2004127102.tif 000002
【特許請求の範囲】
【請求項１】
画像のプリント注文のための注文票を発行する注文票発行装置において、
画像のプリントに使用する装飾デザイン毎に、プリント注文を行う客の属性を設定する設定手段と、
前記設定手段により設定された内容を記憶する記憶手段と、
プリント注文を行う客の属性を指定する指定手段と、
前記指定手段により指定された客の属性に対応する装飾デザインのデータを前記記憶手段から読み出す読出手段と、
前記読出手段により読み出された装飾デザインのデータに基づいて注文票を印刷出力する出力手段と、
を備えることを特徴とする注文票発行装置。
【請求項２】
前記設定手段は、画像のプリントに使用する装飾デザイン毎に、価格を更に設定することを特徴とする請求項１記載の注文票発行装置。
【発明の詳細な説明】
【０００１】
【発明の属する技術分野】
本発明は、画像のプリント注文のための注文票を発行する注文票発行装置に関する。
【０００２】
【従来の技術】
近年、フィルムに記録された撮影画像や、ＣＤ−Ｒやメモリカード等の記録媒体に記録された画像データのプリントを行うプリントサービスが展開されている。プリント注文の方法は様々あるが、その一つとして、プリント注文を行う客が、プリントサービスを提供している写真専門店や取次店の店頭等に置かれたスタッファと呼ばれる注文票に必要事項を記入し、写真専門店や取次店の店頭にてプリント注文を行う方法がある。このスタッファには、プリントに使用可能なデザインのサンプル（テンプレート）が掲載されるとともに、これらのデザインを参照してプリント注文を行うための記入フォームが設けられている。また、通信ネットワークを利用してプリント注文を行う方法もある（例えば、特許文献１参照。）。
【０００３】
【特許文献１】
特開２００１−２７５０６５号公報
【０００４】
【発明が解決しようとする課題】
しかしながら、従来のスタッファを用いたプリント注文にあっては、プリント注文客の属性（年齢、性別等）に関係無く、プリントサービスの窓口となる全ての店舗で同一のスタッファを提供しているため、スタッファの自由度が少ないという問題があった。従って、プリント注文客は、自分の希望に添わないデザインが多く掲載されたスタッファを利用してプリント注文を行わなければならなかった。また、通信ネットワークを利用したプリントサービス（特許文献１）においても、客の好みに合うスタッファ（注文票）を提供する手段がなかった。
【０００５】
本発明の課題は、プリント注文を行うための注文票（スタッファ）をカスタマイズすることで、プリントサービスの向上を図ることである。
【０００６】
【課題を解決するための手段】
請求項１記載の発明は、
画像のプリント注文のための注文票を発行する注文票発行装置において、
プリントに使用する装飾デザイン毎に、プリント注文を行う客の属性を設定する設定手段と、
前記設定手段により設定された内容を記憶する記憶手段と、
プリント注文を行う客の属性を指定する指定手段と、
前記指定手段により指定された客の属性に対応する装飾デザインのデータを前記記憶手段から読み出す読出手段と、
前記読出手段により読み出された装飾デザインのデータに基づいて注文票を印刷出力する出力手段と、
を備えることを特徴としている。
【０００７】
請求項１記載の発明によれば、プリント注文を行う客の属性に見合った装飾デザインが掲載された注文票の出力が可能になることにより、自由度に富んだ注文票が発行可能になり、プリントサービスの向上を図ることができる。
【０００８】
請求項２記載の発明は、請求項１記載の発明において、
前記設定手段は、前記画像のプリントに使用する装飾デザイン毎に、価格を更に設定することを特徴としている。
【０００９】
請求項２記載の発明によれば、画像のプリントに使用する装飾デザイン毎に価格を設定することにより、プリント注文を促進させることができる。
【００１０】
【発明の実施の形態】
以下、図を参照して本発明の実施の形態を詳細に説明する。
まず、構成を説明する。
【００１１】
図１は、本発明を適用した注文票発行装置１の主要部構成を示すブロック図である。注文票発行装置１は、プリントサービスを提供している写真専門店や取次店に設置され、図１に示すように、ＣＰＵ１１、表示部１２、操作部１３、メディア入力部１４、記憶部１５、印字部１６、通信部１７により構成され、各部は、バス１８により接続されている。
【００１２】
ＣＰＵ１１は、記憶部１５に格納された各種処理プログラムに従って、注文票発行装置１の各部の動作を集中制御する。具体的には、ＣＰＵ１１は、操作部１３の操作によりスタッファの出力条件（出力フォーマット、ポストカードのカテゴリ、客の属性等）が入力されると、記憶部１５に格納されたテンプレートデータ（後述）から、入力されたスタッファの出力条件に見合うテンプレートデータを読み出し、印字部１６に対し、スタッファの印刷出力を指示する。なお、ＣＰＵ１１は、特許請求の範囲における読出手段としての機能を有する。
【００１３】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ１１から入力される表示信号に従って、所要の表示処理を行う。表示部１２における画面表示例を図３及び図４に示す。
【００１４】
操作部１３は、マウスや、テンキー、カーソルキー、各種ファンクションキー等を有し、マウスやキーの操作による操作信号をＣＰＵ１１に出力する。なお、操作部１３は、表示部１２のＬＣＤと一体になったタッチパネルを含んだ構成としてもよい。なお、操作部１３は、特許請求の範囲における設定手段及び指定手段としての機能を有する。
【００１５】
メディア入力部１４は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００１６】
また、メディア入力部１４は、フィルム画像やプリント画像を読み取るためのスキャナを備えている。このスキャナは、発光部、ＣＣＤ（Ｃｈａｒｇｅ　Ｃｏｕｐｌｅｄ　Ｄｅｖｉｃｅ）、Ａ／Ｄコンバータ（何れも図示略）等を備えている。発光部は、フィルムやプリントに光を照射し、フィルムやプリントに記録された撮影画像を撮像光として出力する。ＣＣＤは、発光部から出力された撮像光（光信号）を光電変換により電気信号（アナログ信号）に変換する。Ａ／Ｄコンバータは、このアナログ信号をデジタル信号（画像データ）に変換する。なお、メディア入力部１４を、注文票発行装置１の本体と別体にして設けるようにしてもよい。
【００１７】
記憶部１５は、ＣＰＵ１１により実行される各種処理プログラム及びこれらの処理プログラムの実行時に使用されるデータ等を格納している。また、記憶部１５は、ポストカード等に使用する装飾デザインのテンプレートデータを所定のフォルダに格納している。ポストカード等に使用する装飾デザインとは、ポストカードにはめ込む画像の周囲に使用するデザインであり、例えば、植物、動物、アニメのキャラクター、文字、自然の風景等の画像を含む。以下、簡略化のため、ポストカードに使用する装飾デザインを「デザイン」と称す。
【００１８】
記憶部１５に格納されるテンプレートデータには、店舗側で独自に作成したテンプレートデータが含まれる。記憶部１５に記憶されるテンプレートデータは、通信ネットワークを介して、プリントサービスを管理する管理サーバに登録される。また、記憶部１５は、テンプレートデータ毎に、プリント料金データ、ポストカードのカテゴリデータ及びプリント注文客の属性データを対応付けて記憶している。これら、プリント料金データ、カテゴリデータ及びプリント注文客の属性データは、後述のスタッファ設定・出力処理（図２参照）において、テンプレートデータ毎に設定される。
【００１９】
なお、記憶部１５に格納された各種処理プログラムや各種データを、通信部１７を介して外部機器に格納するようにしてもよい。また、記憶部１５を複数設け、属性データとテンプレートデータを別々に格納するようにしてもよい。なお、記憶部１５は、特許請求の範囲における記憶手段としての機能を有する。
【００２０】
印字部１６は、給紙部（図示略）と排紙部（図示略）等を備え、ＣＰＵ１１から入力される制御信号に従って、印刷用紙に注文票（スタッファ）を印刷出力する。印字部１６における印刷方式は、インクジェット方式やレーザー方式等が適用される。なお、印字部１６を、注文票発行装置１の本体と別体にして設けるようにしてもよい。なお、印字部１６は、特許請求の範囲における出力手段としての機能を有する。
【００２１】
通信部１７は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信ネットワークを介して、外部機器と通信を行うための通信制御を行う。注文票発行装置１に通信接続される外部機器には、プリントサービス全体を管理する管理サーバや、実際にプリントを生成するラボ内の端末が含まれる。この管理サーバは、ラボ内に設置されていてもよい。
【００２２】
次に、本実施の形態の動作を説明する。
図２のフローチャートを参照して、注文票発行装置１において実行されるスタッファ設定・出力処理について説明する。以下のフローチャートでは、ポストカード用のスタッファを出力する場合について説明する。
【００２３】
まず、注文票発行装置１は、プリントサービスを管理する管理サーバから、通信ネットワークを介して、登録済みテンプレートデータをダウンロードする（ステップＳ１）。
【００２４】
テンプレートデータがダウンロードされると、表示部１２には、登録内容確認画面、テンプレートデータの追加を行うための画面（追加設定画面）、テンプレートデータの変更（変更画面）を行うための画面及びテンプレートデータの削除を行うための画面が表示される（ステップＳ２）。表示部１２に表示された画面上で、操作部１３の操作により、テンプレートデータの追加、変更及び削除が行われる（ステップＳ３）。
【００２５】
図３に、テンプレートデータの追加を行うための画面（追加設定画面）を示す。この追加設定画面は、図３に示すように、「追加するテンプレートデータのパス」、「テンプレートの名称」、「デフォルト料金設定」、「カテゴリ設定」及び「属性設定」の各項目から構成されている。
【００２６】
「追加するテンプレートデータのパス」項目には、記憶部１５に格納されたテンプレートデータのうち、ポストカードに使用するデザインとして追加登録するテンプレートデータのパスを入力する空欄が設けられている。追加登録するテンプレートデータのパスが分からない場合は、空欄に隣接する「参照」ボタンを操作することにより、対象となるテンプレートデータを入力することができる。
【００２７】
「テンプレートの名称」項目は、該当するテンプレートの名称を設定する項目で、テンプレートの名称を入力する空欄が設けられている。
【００２８】
「デフォルト料金設定」項目は、「追加するテンプレートデータのパス」項目でパスが入力されたテンプレート（以下、「追加対象テンプレート」と称す）に適用するプリント料金及びオプション項目を設定するための項目であり、「プリント料金」項目及び「オプション設定」項目から構成される。
【００２９】
「デフォルト料金設定」項目内の「プリント料金」項目は、ポストカードに、追加対象テンプレートが示すデザインが適用された場合のデフォルトのプリント料金を設定するための項目である。この「プリント料金」項目には、プリントの単価を入力する欄が設けられているとともに、１０枚分、５０枚分及び１００枚分のパック料金を入力する欄が設けられている。
【００３０】
「デフォルト料金設定」項目内の「オプション設定」項目は、「プリント料金」項目で設定した料金が適用されるオプション項目を設定するための項目で、技術料金、文字入れ料金及び自由文字入れ料金の各オプション項目から構成される。各オプション項目には、項目を指定するためのチェックボックスが設けられている。なお、「オプション設定」項目を構成する各オプション項目は、上述の項目（技術料金、文字入れ料金及び自由文字入れ料金）に限定されない。また、「オプション設定」項目内で、複数の項目が指定可能である。
【００３１】
「カテゴリ設定」項目は、追加対象テンプレートが示すデザインが適用されるポストカードのカテゴリ（種類、利用目的）を設定するための項目で、「大カテゴリ」項目及び「サブカテゴリ」項目から構成される。
【００３２】
「カテゴリ設定」項目内の「大カテゴリ」項目は、ポストカードの種類を設定するための項目で、「年賀状」、「αメール（夏）」及び「通年」の各項目から構成される。これらの各項目には、項目を指定するためのチェックボックスが設けられている。ここで、「αメール（夏）」は、季節が夏に限定されたデザイン（暑中見舞い等）のポストカードを示す。例えば、追加対象テンプレートが示すデザインがスイカの絵である場合、スイカは夏にふさわしい絵であるため、ポストカードの種類として、αメール（夏）項目が指定される。「通年」とは、年賀状やαメール（夏）のように利用する季節が限定されたデザインのポストカードではなく、季節を問わず年中適用可能なデザインのポストカードを示す。なお、「大カテゴリ」項目を構成する項目は、上述の項目に限定されない。また、「大カテゴリ」項目内で、複数の項目（例えば、αメール（夏）及び通年）が指定可能である。
【００３３】
「カテゴリ設定」項目内の「サブカテゴリ」項目は、ポストカードの利用目的を設定するための項目で、「一般」、「結婚」、「誕生」、「転居」の各項目から構成される。これらの各項目には、項目を指定するためのチェックボックスが設けられている。なお、「サブカテゴリ」項目を構成する項目は、上述の項目に限定されない。例えば、引越し用や入学祝用の項目を含むようにしてもよい。また、「サブカテゴリ」項目内で、複数の項目が指定可能である。
【００３４】
「属性設定」項目は、追加対象テンプレートが示すデザインを適用する客の属性を設定するための項目で、「年代」、「性別」及び「職業」の各項目から構成される。なお、「属性設定」項目を構成する項目は、これらの項目に限定されない。例えば、趣味等の項目を含むようにしてもよい。
【００３５】
「属性設定」項目内の「年代」項目は、追加対象テンプレートが示すデザインが適用される客の年齢層を設定するための項目であり、「全て」、「１０代」、「２０代」、「３０代」、「４０代」、「５０代」及び「６０代以上」の各項目から構成される。これらの各項目には、項目を指定するためのチェックボックスが設けられている。例えば、追加対象テンプレートが示すデザインが、子供向けのアニメのキャラクターである場合、「１０代」項目がチェックされる。なお、「年代」項目内で、複数の項目（例えば、１０代及び２０代）が指定可能である。
【００３６】
「属性設定」項目内の「性別」項目は、追加対象テンプレートが示すデザインが適用される客の性別を設定するための項目であり、「全て」、「男性」及び「女性」の各項目から構成される。これらの各項目には、項目を指定するためのチェックボックスが設けられている。ここで、「全て」項目は、男性及び女性の両方を指定するためのものである。
【００３７】
「属性設定」項目内の「職業」項目は、追加対象テンプレートが示すデザインが適用される客の職業を設定するための項目であり、「全て」、「学生」及び「会社員」の各項目から構成される。これらの各項目には、項目を指定するためのチェックボックスが設けられている。なお、「職業」項目を構成する項目は、上述の項目に限定されない。また、「職業」項目で、複数の項目が指定可能である。
【００３８】
ステップＳ３において、テンプレートデータの追加、変更、削除が行われ、画面右下の「決定」ボタンがマウスのクリック操作により指定されると（ステップＳ４；ＹＥＳ）、ＣＰＵ１１は、追加対象テンプレートデータを管理サーバに登録する内容として決定し（ステップＳ５）、そのテンプレートデータを管理サーバにアップロードする（ステップＳ６）。ステップＳ３においてテンプレートデータが変更された場合は、ステップＳ５では、変更されたテンプレートデータが管理サーバにアップロードされる。ステップＳ３において、テンプレートデータが削除された場合は、ステップＳ５では、対象となっているテンプレートデータが削除されたことを示すデータが管理サーバにアップロードされる。
【００３９】
また、ステップＳ４において、「決定」ボタンが指定されると、図３の追加設定画面上で設定された内容や、変更画面（図示略）上で設定された内容が、記憶部１５に記憶される。
【００４０】
図３の追加設定画面上で設定された内容や、変更画面（図示略）上で設定された内容に基づいて、スタッファを印刷する場合、まず、操作部１３の操作により、表示部１２には、図４に示すように、スタッファの出力条件を入力するための入力画面が表示される。
【００４１】
図４の入力画面は、「出力フォーマット」、「枚数」、「カテゴリ選択」及び「属性選択」の各項目から構成される。
【００４２】
「出力フォーマット」項目は、スタッファの出力フォーマットを指定するための項目で、「用紙サイズ」、「テンプレート並び数」及び「背景デザインの種類」の各項目から構成される。
【００４３】
「出力フォーマット」項目内の「用紙サイズ」項目は、スタッファに用いる用紙のサイズを指定するための項目で、「Ａ４」及び「Ａ３」の各項目から構成される。これらの各項目には、項目を指定するためのチェックボックスが設けられている。「テンプレートの並び数」項目は、一枚のポストカード内に並べるテンプレートの数を指定するための項目で、テンプレートを縦及び横に並べる個数を入力するための空欄が設けられている。「背景デザインの種類」項目は、出力されるスタッファの背景デザインの種類を指定するための項目で、「白地」、「うすいブルー」及び「花柄」の各項目から構成される。これらの各項目には、項目を指定するためのチェックボックスが設けられている。
【００４４】
図４の入力画面において、「枚数」項目には、出力するスタッファの枚数を入力するための空欄が設けられている。
【００４５】
図４において、「カテゴリ選択」項目は、ポストカードのカテゴリ（種類、利用目的）を指定するための項目で、「大カテゴリ」項目及び「サブカテゴリ」項目から構成される。「大カテゴリ」項目内の内容及び「サブカテゴリ」項目内の内容は、それぞれ、図３の「カテゴリ設定」項目内の「大カテゴリ」、「サブカテゴリ」の内容と同一であるため、ここでの説明は省略する。
【００４６】
また、図４において、「属性選択」項目は、出力するスタッファを利用する客（プリント注文客）の属性を選択するための項目で、「年代」、「性別」及び「職業」の各項目から構成される。「年代」、「性別」及び「職業」の各項目の内容は、それぞれ、図３の「属性設定」内の「年代」、「性別」、「職業」の内容と同一であるため、ここでの説明は省略する。
【００４７】
図４に示した入力画面上で、スタッファの出力条件として、出力フォーマット、枚数、カテゴリ、属性が入力され（ステップＳ７）、画面右下の「出力」ボタンがマウスのクリック操作により指定されると（ステップＳ８；ＹＥＳ）、ＣＰＵ１１は、記憶部１５に記憶されたテンプレートデータの中から、ステップＳ７で入力されたスタッファの出力条件に見合うデザインのテンプレートデータを全て読み出す。
【００４８】
次いで、ＣＰＵ１１は、読み出した全てのテンプレートデータに対応するデザインを印刷するための制御信号を印字部１６に出力する。印字部１６は、ＣＰＵ１１から出力された制御信号に従って、該当するテンプレートデータに対応するデザインを全て掲載したスタッファを印刷出力し（ステップＳ９）、本スタッファ設定・出力処理を終了する。
【００４９】
図２のスタッファ設定・出力処理によって印刷出力されたスタッファの一例を図５に示す。図５は、スタッファの出力条件として、「用紙サイズ」をＡ４、「テンプレートの並び数」を縦３横３、「背景デザインの種類」を白地、「大カテゴリ」を通年、「サブカテゴリ」を結婚、「年代」を２０代及び３０代、「性別」を全て、「職業」を全てに設定した場合に印刷出力されるスタッファの例である。
【００５０】
以上のように、本実施の形態の注文票発行装置１によれば、ポストカードで使用するデザイン毎に、プリント注文を行う客の属性を設定し、客の属性に見合ったデザインが掲載されたスタッファを発行することにより、プリントサービスを向上させることができる。また、客の属性以外に、ポストカードで使用するデザイン毎に、ポストカードの種類や利用目的等も設定することにより、自由度に富んだスタッファを提供することができる。
【００５１】
また、ポストカードで使用するデザイン毎に、プリント料金を設定することで、店舗毎に独自のプリント料金（例えば、ディスカウント価格）でプリントサービスを提供でき、プリント注文を促進させることができる。特に、店舗毎に独自に作成したテンプレートを用意し、そのテンプレート毎に、客の属性及びプリント料金を設定することにより、更に自由度に富んだスタッファを提供でき、プリントサービスを一層向上させることができる。
【００５２】
なお、本実施の形態における記述内容は、本発明の趣旨を逸脱しない範囲で適宜変更可能である。
【００５３】
例えば、本実施の形態では、ポストカードにおけるプリント注文を行う場合を示したが、本発明は、ポストカード以外のプリント注文においても適用可能である。
【００５４】
【発明の効果】
請求項１記載の発明によれば、プリント注文を行う客の属性に見合った装飾デザインが掲載された注文票の出力が可能になることにより、自由度に富んだ注文票が発行可能になり、プリントサービスの向上を図ることができる。
【００５５】
請求項２記載の発明によれば、請求項１記載の発明の効果に加えて、画像のプリントに使用する装飾デザイン毎に価格を設定することにより、プリント注文を促進させることができる。
【図面の簡単な説明】
【図１】本発明を適用した注文票発行装置１の主要部構成を示すブロック図。
【図２】本実施の形態の注文票発行装置１において実行されるスタッファ設定・出力処理を示すフローチャート。
【図３】テンプレートデータの追加を行うための画面を示す図。
【図４】スタッファの出力条件の入力画面を示す図。
【図５】図２のスタッファ設定・出力処理によって印刷出力されたスタッファの一例を示す図。
【符号の説明】
１　　注文票発行装置
１１　ＣＰＵ
１２　表示部
１３　操作部
１４　メディア入力部
１５　記憶部
１６　印字部
１７　通信部
１８　バス
【図１】
2004127102.tif 000003
【図２】
2004127102.tif 000004
【図３】
2004127102.tif 000005
【図４】
2004127102.tif 000006
【図５】
2004127102.tif 000007